(57)【要約】【課題】コミュニケーションの終了時に生じやすい、さみしい、名残り惜しい等の感情を紛らわせる。【解決手段】データ出力装置は、コミュニケーション中の通信端末から送信されるコンテンツデータの一部を抽出する（Ｓ４）抽出手段と、前記コミュニケーションの終了に応答して、前記抽出手段により抽出された一部のコンテンツデータを出力する（Ｓ７）出力手段と、を備える。【選択図】図３
2016146522.tif 000002
【特許請求の範囲】
【請求項１】
コミュニケーション中の通信端末から送信されるコンテンツデータの一部を抽出する抽出手段と、
前記コミュニケーションの終了に応答して、前記抽出手段により抽出された一部のコンテンツデータを出力する出力手段と、
を備えることを特徴とするデータ出力装置。
【請求項２】
前記コミュニケーション中に、前記通信端末から送信されるコンテンツデータを解析する解析手段を備え、
前記抽出手段は、前記解析手段による前記コンテンツデータの解析結果に基づいて、前記通信端末から送信されるコンテンツデータの一部を抽出することを特徴とする請求項１に記載のデータ出力装置。
【請求項３】
前記解析手段は、前記コミュニケーション中に、前記通信端末から送信されるコンテンツデータを解析して、会話の状態を検出し、
前記抽出手段は、前記解析手段に検出された会話の状態が活性状態にあるコンテンツデータを抽出することを特徴とする請求項２に記載のデータ出力装置。
【請求項４】
前記コンテンツデータは、画像データ及び音声データの少なくとも１つであり、
前記出力手段は、前記抽出手段により抽出された一部のコンテンツデータ中の音声データをテキストデータに変換し、変換したテキストデータを出力することを特徴とする請求項１〜３のいずれか一項に記載のデータ出力装置。
【請求項５】
前記抽出手段は、前記コミュニケーション中の１つの通信端末に対して他の通信端末から送信されたコンテンツデータの一部を抽出することを特徴とする請求項１〜４のいずれか一項に記載のデータ出力装置。
【請求項６】
前記抽出手段は、前記コミュニケーション中の複数の通信端末からそれぞれ送信される複数のコンテンツデータの一部を抽出することを特徴とする請求項１〜４のいずれか一項に記載のデータ出力装置。
【請求項７】
前記抽出手段は、前記コンテンツデータの一部として、複数のコンテンツデータを抽出し、
前記出力手段は、前記抽出手段により抽出された複数のコンテンツデータをそれぞれ連結して出力することを特徴とする請求項１〜６のいずれか一項に記載のデータ出力装置。
【請求項８】
前記抽出手段により抽出された一部のコンテンツデータを用いて、前記コミュニケーションにおける会話の再現データを作成するデータ作成手段を備え、
前記出力手段は、前記コミュニケーションの終了に応答して、前記データ作成手段により作成された前記再現データを出力することを特徴とする請求項１〜７のいずれか一項に記載のデータ出力装置。
【請求項９】
前記再現データの再生手段を備えることを特徴とする請求項８に記載のデータ出力装置。
【請求項１０】
前記コンテンツデータの入力手段を備えることを特徴とする請求項１〜９のいずれか一項に記載のデータ出力装置。
【請求項１１】
コミュニケーション中の通信端末から送信されるコンテンツデータの一部を抽出する抽出ステップと、
前記コミュニケーションの終了に応答して、前記抽出ステップにおいて抽出された一部のコンテンツデータを出力する出力ステップと、
を含むことを特徴とするデータ出力方法。
【請求項１２】
コンピュータに、
コミュニケーション中の通信端末から送信されるコンテンツデータの一部を抽出する抽出ステップと、
前記コミュニケーションの終了に応答して、前記抽出ステップにおいて抽出された一部のコンテンツデータを出力する出力ステップと、
を実行させるためのプログラム。
【発明の詳細な説明】
【技術分野】
【０００１】
本発明は、データ出力装置、データ出力方法及びプログラムに関する。
【背景技術】
【０００２】
遠隔地にいるユーザとの連絡手段として、インターネットを利用した音声通話サービスや、カメラによりユーザを撮影し、互いの撮影映像を交換することにより会話ができるビデオ通信サービスが提供されている（例えば、特許文献１参照）。
【先行技術文献】
【特許文献】
【０００３】
【特許文献１】特開２００７−８９２０２号公報
【発明の概要】
【発明が解決しようとする課題】
【０００４】
しかしながら、上記音声通話サービスやビデオ通信サービスにおいては、通信端末間のコミュニケーションの終了時に音声の出力や映像の表示等も瞬時に終了してしまう。そのため、祖父母が遠隔地にいる孫と会話する場合等には、さみしい、名残り惜しい等の感情が生じやすい。
【０００５】
本発明の課題は、コミュニケーションの終了時に生じやすい、さみしい、名残り惜しい等の感情を紛らわせることである。
【課題を解決するための手段】
【０００６】
本発明の第１の態様によれば、
コミュニケーション中の通信端末から送信されるコンテンツデータの一部を抽出する抽出手段と、
前記コミュニケーションの終了に応答して、前記抽出手段により抽出された一部のコンテンツデータを出力する出力手段と、
を備えることを特徴とするデータ出力装置が提供される。
【０００７】
本発明の第２の態様によれば、
コミュニケーション中の通信端末から送信されるコンテンツデータの一部を抽出する抽出ステップと、
前記コミュニケーションの終了に応答して、前記抽出ステップにおいて抽出された一部のコンテンツデータを出力する出力ステップと、
を含むことを特徴とするデータ出力方法が提供される。
【０００８】
本発明の第３の態様によれば、
コンピュータに、
コミュニケーション中の通信端末から送信されるコンテンツデータの一部を抽出する抽出ステップと、
前記コミュニケーションの終了に応答して、前記抽出ステップにおいて抽出された一部のコンテンツデータを出力する出力ステップと、
を実行させるためのプログラムが提供される。
【発明の効果】
【０００９】
本発明によれば、コミュニケーションの終了時に生じやすい、さみしい、名残り惜しい等の感情を紛らわせることができる。
【図面の簡単な説明】
【００１０】
【図１】複数の通信端末と、各通信端末とネットワークを介して接続されたサーバとを示す図である。
【図２】通信端末の主な構成を機能ごとに示すブロック図である。
【図３】通信端末が、再現データを作成する際の処理手順を示すフローチャートである。
【図４】コンテンツデータの抽出例を示す図である。
【図５】再現データの例を示す図である。
【発明を実施するための形態】
【００１１】
以下、本発明のデータ出力装置、データ出力方法及びプログラムの実施の形態について、図面を参照して説明する。
【００１２】
図１は、インターネット等のネットワークＮ上の通信端末１Ａ及び１Ｂとサーバ２とを示している。
サーバ２は、コンテンツデータを用いたコミュニケーション（通信）サービスを提供する。コミュニケーションは、コンテンツデータとして画像データと音声データを使用するビデオ通信であってもよいし、音声データのみを使用する音声通信であってもよい。通信端末１Ａ及び１Ｂが、コミュニケーション中、サーバ２を中継して互いにコンテンツデータを送信し合うことにより、各通信端末１Ａ及び１Ｂのユーザ同士が会話することが可能である。
【００１３】
通信端末１Ａ及び１Ｂの具体的な例としては、通信によるコンテンツデータの送信及び受信が可能なパーソナルコンピュータ、スマートフォン、タブレット、ゲーム機等のコンピュータ端末が挙げられる。
各通信端末１Ａ及び１Ｂの基本的な構成部分は同じであるので、通信端末１Ａの構成のみ説明する。
【００１４】
図２は、通信端末１Ａの主な構成を機能ごとに示すブロック図である。
通信端末１Ａは、図２に示すように、制御部１１、記憶部１２、操作部１３、表示部１４、撮影部１５、マイク１６１、スピーカ１６２、通信部１７等を備えて構成されている。通信端末１Ａの各部は、バス３０によって接続されている。
【００１５】
制御部１１は、ＣＰＵ（Central Processing Unit）、ＲＡＭ（Random Access Memory）等を備えて構成されている。制御部１１は、記憶部１２に記憶されたプログラムを読み出して、当該プログラムを実行することにより、通信端末１Ａの各部の動作を制御する。
【００１６】
制御部１１は、操作部１３を介して通信端末１Ｂとのコミュニケーションの開始が指示されると、コンテンツデータを生成する。例えば、制御部１１（入力手段）はマイク１６１により入力されたユーザの音声をデジタル化して音声データを生成する。この音声データと撮影部１５により生成された画像データとを用いて、動画データを生成することもできる。制御部１１は、生成したコンテンツデータを、通信部１７により通信端末１Ｂを宛先としてサーバ２に送信させる。
また、サーバ２を経由して通信端末１Ｂから送信されたコンテンツデータを通信部１７により受信すると、制御部１１は、コンテンツデータ中の画像データの再生を表示部１４により行わせ、音声データの再生をスピーカ１６２により行わせる。
【００１７】
制御部１１（解析手段）は、コミュニケーション中の通信端末１Ａ及び１Ｂからそれぞれ送信される複数のコンテンツデータのそれぞれを解析して、コミュニケーション中の会話の状態を検出する。
制御部１１（抽出手段、データ作成手段、出力手段）は、複数のコンテンツデータのうち、会話の状態が活性状態にある一部のコンテンツデータを抽出し、抽出した一部のコンテンツデータを用いて会話の内容を再現できる再現データを作成し、再現データ中の画像データを表示部１４に出力し、音声データをスピーカ１６２に出力する。
【００１８】
記憶部１２は、制御部１１が読み取り可能なプログラム、当該プログラムの実行に必要なデータ等を記憶している。
記憶部１２としては、例えばハードディスク、ＥＥＰＲＯＭ（Electrically Erasable Programmable ROM）、フラッシュメモリ等の記憶媒体を用いることができる。
【００１９】
操作部１３は、操作キー、タッチパネル等を備えて、ユーザによるこれらの操作に応じた操作信号を作成し、制御部１１に出力する。
【００２０】
表示部１４は、ＬＣＤ（Liquid Crystal Display）、有機ＥＬ（Electro luminescence）ディスプレイ等を備え、操作画面等を表示する。
また、表示部１４（再生手段）は、制御部１１の指示にしたがって、コンテンツデータ又は再現データ中の画像データを表示する。
【００２１】
撮影部１５（入力手段）は、ＣＣＤ（Charge Coupled Device）等の撮影素子により撮影を行って画像データを生成する。
【００２２】
マイク１６１（入力手段）は、音声を入力する。
スピーカ１６２（再生手段）は、コンテンツデータ又は再現データ中の音声データを再生して音声を出力する。
【００２３】
通信部１７は、ネットワークＮ上のサーバ２を経由して、通信端末１Ｂとコンテンツデータの送信及び受信を行う。
【００２４】
サーバ２は、上述したように、通信端末１Ａと通信端末１Ｂとのそれぞれから送信されるコンテンツデータを中継するコミュニケーションサービスを提供する。具体的には、サーバ２は、コミュニケーション中の通信端末１Ａと通信端末１Ｂの一方から送信されるコンテンツデータを他方に転送する。
サーバ２は、通信端末１Ａ及び１Ｂと同様に、制御部、操作部、表示部、通信部等を備えたコンピュータである。
【００２５】
上記通信端末１Ａ及び１Ｂは、コミュニケーションにおける会話の再現データを作成することができる。
図３は、通信端末１Ａが、通信端末１Ａのユーザ向けの再現データを作成する際の処理手順を示すが、通信端末１Ｂもこの処理手順と同様にして通信端末１Ｂのユーザ向けの再現データを作成することができる。
【００２６】
図３に示すように、通信端末１Ａは、コミュニケーションの開始とともに、会話の状態の検出を開始する(ステップＳ１)。具体的には、制御部１１が、通信端末１Ａから通信端末１Ｂに向けて送信したコンテンツデータ及び通信端末１Ｂから通信端末１Ａに向けて送信されたコンテンツデータを解析して、会話の状態が、活性状態と非活性状態のいずれであるかを決定する。コンテンツデータは、画像データ及び音声データの少なくとも１つであり、コミュニケーションが音声通信であれば音声データのみが送信され、ビデオ通信であれば画像データと音声データの両方が動画データとして送信される。
【００２７】
活性状態及び非活性状態は、会話が活発に行われているか否かによって決定することができる。
例えば、コンテンツデータが画像データである場合、制御部１１はテンプレートマッチングによって画像データ中の笑顔を検出し、笑顔が検出されれば活性状態、笑顔が検出されなければ非活性状態と決定する。先に受信した複数の画像データも含めて検出された笑顔の数の合計が閾値以上になった場合に活性状態と決定してもよい。
コンテンツデータが音声データである場合、制御部１１は、パターンマッチングにより笑い声を検出し、笑い声が検出されれば活性状態、笑い声が検出されなければ非活性状態、と決定する。また、制御部１１は音量が閾値以上であれば活性状態、閾値未満であれば非活性状態と決定することもできる。
【００２８】
コミュニケーションが終了するまで(ステップＳ２；Ｎ)、制御部１１は、コンテンツデータを受信するごとに会話の状態の検出を行う。そして、会話の活性状態が検出されると(ステップＳ３；Ｙ)、制御部１１はコンテンツデータの抽出を開始し、抽出したコンテンツデータを記憶部１２に保存する (ステップＳ４)。なお、抽出したコンテンツデータの保存先は、記憶部１２ではなく、サーバ２であってもよい。
非活性状態が検出されるまで制御部１１はコンテンツデータの抽出を続け、非活性状態が検出されると(ステップＳ３；Ｎ)、抽出を終了する。これにより、記憶部１２には、活性状態が検出された複数のコンテンツデータが蓄積される。
【００２９】
図４は、コンテンツデータの抽出例を示している。
図４に示すように、コミュニケーションの開始時間Ｔｓ後、活性状態が検出されてから非活性状態が検出されるまでの期間Ｔ１、Ｔ２及びＴ３のそれぞれにおいて、コンテンツデータの抽出が行われる。この抽出により、コミュニケーションの開始時間Ｔｓから終了時間Ｔｅまでの間に受信したすべてのコンテンツデータのうち、各期間Ｔ１、Ｔ２及びＴ３中に受信した一部のコンテンツデータＣ１、Ｃ２及びＣ３が記憶部１２に保存される。
【００３０】
なお、コンテンツデータの解析結果に基づいて、送信されるコンテンツデータの一部を抽出することができるのであれば、解析によって会話の状態を検出し、活性状態のコンテンツデータを抽出する以外に、解析によって特定の人物、シーン等の対象を検出し、特定の対象が検出されたコンテンツデータを抽出するようにしてもよい。
【００３１】
コミュニケーションが終了すると(ステップＳ２；Ｙ)、終了に応答して、制御部１１は会話の状態の検出を終了する。そして、記憶部１２に保存したコンテンツデータがある場合(ステップＳ５；Ｙ)、制御部１１は当該コンテンツデータを用いて再現データを作成する(ステップＳ６)。再現データは、１又は複数のコンテンツデータから作成された１つのファイルデータである。
【００３２】
具体的には、制御部１１は、記憶部１２に保存した複数のコンテンツデータをそれぞれ連結して、再現データを作成することができる。
例えば、コンテンツデータが画像データと音声データからなる動画データである場合は、それぞれを連結した一連の動画データを再現データとして作成することができる。コンテンツデータの連結が時系列であると、再現データの再生により再現される会話の流れが自然であるため、好ましい。
【００３３】
また、コンテンツデータが音声データのみである場合、制御部１１は、当該音声データをテキストデータに変換し、変換したテキストデータを連結してテキスト形式の再現データを作成することができる。再現データの再生により、チャットのように、会話の内容をテキストで把握することができる。
【００３４】
また、制御部１１は、コンテンツデータ中の音声データをテキストデータに変換し、コンテンツデータ中の画像データと変換したテキストデータをそれぞれ１ページのスライドとして連結したスライドショー形式の再現データを作成することもできる。
【００３５】
上述の処理手順では、コミュニケーション中の通信端末１Ａ及び１Ｂのそれぞれから送信されるコンテンツデータから活性状態が検出されたコンテンツデータを抽出するので、会話に参加した各ユーザの音声や撮影画像等のコンテンツデータを用いて再現データを作成することができ、会話の自然な流れを把握しやすい再現データを提供できる。
少なくとも話し相手のユーザの表情や会話部分等を再現できればよい場合は、通信端末１Ａのユーザ向けの再現データとして、通信端末１Ｂから通信端末１Ａへ送信されたコンテンツデータのみを抽出して再現データの作成に用いることもできる。
【００３６】
制御部１１は、作成した再現データ中の画像データの表示を表示部１４により行わせ、音声データの再生をスピーカ１６２により行わせる(ステップＳ７)。
【００３７】
図５は、スライドショー形式の再現データの例を示している。
スライドショー形式の再現データの再生時、図５に示すように、複数のスライドＰ１、Ｐ２・・・Ｐｎが順次切り替えて表示される。図５に示すように、スライドＰ１及びＰｎは、笑顔が検出された画像データを用いて作成されたスライドであり、スライドＰ２は、テキストデータに変換された音声データを用いて作成されたスライドである。
【００３８】
以上のように、本実施の形態の通信端末１Ａは、コミュニケーション中の通信端末から送信されるコンテンツデータの一部を抽出し、抽出した一部のコンテンツデータを用いて、コミュニケーションにおける会話の再現データを作成し、コミュニケーションの終了に応答して、作成した再現データを出力する制御部１１を備えている。
【００３９】
これにより、テキスト形式、スライドショー形式等によって、コミュニケーション中の会話内容を一連にまとめて再現できる再現データをユーザに提供することができる。コミュニケーションの終了により話し相手のユーザの音声や画像の表示が終了しても、再現データを再生することにより、さみしい等の感情を紛らわせることができる。
【００４０】
上記実施の形態において、制御部１１は、コミュニケーション中に送信されるコンテンツデータを解析して、会話の状態を検出し、検出した会話の状態が活性状態にあるコンテンツデータを抽出する。
これにより、活発な会話部分を再現できる再現データを提供することができる。
【００４１】
また、コンテンツデータは、画像データ及び音声データの少なくとも１つであり、制御部１１は、抽出した一部のコンテンツデータ中の音声データをテキストデータに変換し、変換したテキストデータを用いて再現データを作成し、出力する。
これにより、テキスト形式、スライドショー形式等のように、音声の再生を伴わない再現データを作成して提供することができる。
【００４２】
制御部１１は、コミュニケーション中の１つの通信端末１Ａに対して他の通信端末１Ｂから送信されたコンテンツデータの一部を抽出することができる。
これにより、１つの通信端末１Ａのユーザ向けに、話し相手のユーザの撮影画像や音声等のコンテンツデータを用いて再現データを作成し、提供することができる。
【００４３】
また、制御部１１は、コミュニケーション中の通信端末１Ａ及び１Ｂからそれぞれ送信される複数のコンテンツデータの一部を抽出することができる。
これにより、会話に参加していた各ユーザの撮影画像や音声等のコンテンツデータを用いて再現データを作成し、提供することができる。
【００４４】
また、通信端末１Ａは、再現データの再生手段として、再現データ中の画像データを表示再生する表示部１４、再現データ中の音声データを再生して音声出力するスピーカ１６２等を備えている。
これら再生手段により、作成した再現データをコミュニケーション終了後に速やかに再生することができる。
【００４５】
また、通信端末１Ａは、コンテンツデータの入力手段として、音声を入力するマイク１６１、マイク１６１により入力された音声をデジタル化して音声データを生成する制御部１１、撮影により画像データを生成する撮影部１５等を備えている。
これら入力手段により、ユーザの撮影画像、音声等のコンテンツデータを入力することが可能になる。
【００４６】
上記実施の形態は本発明の好適な一例であり、これに限定されない。本発明の主旨を逸脱しない範囲で適宜変更可能である。
上述のように、複数のコンテンツデータのうち、活性状態が検出されたコンテンツデータを抽出すると、楽しかった会話部分等の再現データを作成できるため、好ましいが、再現データは会話の内容を再現できればよい。よって、制御部１１は、一定時間ごとに一定数のコンテンツデータを抽出する等、複数のコンテンツデータの一部を抽出して再現データを作成してもよい。一部のコンテンツデータを用いて作成された再現データの再生により、会話の概要を把握することができる。
【００４７】
また、上記実施の形態では抽出したコンテンツデータを用いて再現データを作成し、出力したが、制御部１１は、抽出したコンテンツデータをそのまま出力することもできる。
【００４８】
また、２つの通信端末１Ａ及び１Ｂによる１対１のコミュニケーションの例を示したが、サーバ２が３以上の通信端末間で送信されるコンテンツデータを中継することにより、３以上の通信端末が同時にコミュニケーションすることもできる。このような３以上の通信端末間のコミュニケーションにおいても、上述した処理手順にしたがって複数のコミュニケーション先から送信されるコンテンツデータを用いて再現データを作成することができる。
【００４９】
また、通信端末１Ａ及び１Ｂからそれぞれ送信されるコンテンツデータを取得できるのであれば、データ出力装置としてコンテンツデータの抽出及び出力、再現データの作成及び出力等を行うことができる。サーバ２は、コミュニケーション中の通信端末１Ａ及び１Ｂからそれぞれ送信されるコンテンツデータを中継しており、これを取得できる。よって、サーバ２が、データ出力装置として、通信端末１Ａから取得したコンテンツデータを用いて通信端末１Ｂのユーザ向けの再現データを作成し、通信端末１Ｂから取得したコンテンツデータを用いて通信端末１Ａのユーザ向けの再現データを作成して通信部１７に出力し、通信部１７により各通信端末１Ａ及び１Ｂに配信することもできる。
【００５０】
本発明のいくつかの実施の形態を説明したが、本発明の範囲は上記実施の形態に限定されず、特許請求の範囲に記載した発明の範囲と当該範囲と均等の範囲を含む。
以下、この出願の願書に最初に添付した特許請求の範囲に記載した発明を付記する。下記付記における各請求項の番号は、この出願の願書に最初に添付した特許請求の範囲のとおりである。
【００５１】
＜付記＞
〔請求項１〕
コミュニケーション中の通信端末から送信されるコンテンツデータの一部を抽出する抽出手段と、
前記コミュニケーションの終了に応答して、前記抽出手段により抽出された一部のコンテンツデータを出力する出力手段と、
を備えることを特徴とするデータ出力装置。
〔請求項２〕
前記コミュニケーション中に、前記通信端末から送信されるコンテンツデータを解析する解析手段を備え、
前記抽出手段は、前記解析手段による前記コンテンツデータの解析結果に基づいて、前記通信端末から送信されるコンテンツデータの一部を抽出することを特徴とする請求項１に記載のデータ出力装置。
〔請求項３〕
前記解析手段は、前記コミュニケーション中に、前記通信端末から送信されるコンテンツデータを解析して、会話の状態を検出し、
前記抽出手段は、前記解析手段に検出された会話の状態が活性状態にあるコンテンツデータを抽出することを特徴とする請求項２に記載のデータ出力装置。
〔請求項４〕
前記コンテンツデータは、画像データ及び音声データの少なくとも１つであり、
前記出力手段は、前記抽出手段により抽出された一部のコンテンツデータ中の音声データをテキストデータに変換し、変換したテキストデータを出力することを特徴とする請求項１〜３のいずれか一項に記載のデータ出力装置。
〔請求項５〕
前記抽出手段は、前記コミュニケーション中の１つの通信端末に対して他の通信端末から送信されたコンテンツデータの一部を抽出することを特徴とする請求項１〜４のいずれか一項に記載のデータ出力装置。
〔請求項６〕
前記抽出手段は、前記コミュニケーション中の複数の通信端末からそれぞれ送信される複数のコンテンツデータの一部を抽出することを特徴とする請求項１〜４のいずれか一項に記載のデータ出力装置。
〔請求項７〕
前記抽出手段は、前記コンテンツデータの一部として、複数のコンテンツデータを抽出し、
前記出力手段は、前記抽出手段により抽出された複数のコンテンツデータをそれぞれ連結して出力することを特徴とする請求項１〜６のいずれか一項に記載のデータ出力装置。
〔請求項８〕
前記抽出手段により抽出された一部のコンテンツデータを用いて、前記コミュニケーションにおける会話の再現データを作成するデータ作成手段を備え、
前記出力手段は、前記コミュニケーションの終了に応答して、前記データ作成手段により作成された前記再現データを出力することを特徴とする請求項１〜７のいずれか一項に記載のデータ出力装置。
〔請求項９〕
前記再現データの再生手段を備えることを特徴とする請求項８に記載のデータ出力装置。
〔請求項１０〕
前記コンテンツデータの入力手段を備えることを特徴とする請求項１〜９のいずれか一項に記載のデータ出力装置。
〔請求項１１〕
コミュニケーション中の通信端末から送信されるコンテンツデータの一部を抽出する抽出ステップと、
前記コミュニケーションの終了に応答して、前記抽出ステップにおいて抽出された一部のコンテンツデータを出力する出力ステップと、
を含むことを特徴とするデータ出力方法。
〔請求項１２〕
コンピュータに、
コミュニケーション中の通信端末から送信されるコンテンツデータの一部を抽出する抽出ステップと、
前記コミュニケーションの終了に応答して、前記抽出ステップにおいて抽出された一部のコンテンツデータを出力する出力ステップと、
を実行させるためのプログラム。
【符号の説明】
【００５２】
１Ａ、１Ｂ    通信端末
１１    制御部
１２    記憶部
１３    操作部
１４    表示部
１５    撮影部
１６１    マイク
１６２    スピーカ
１７    通信部
２    サーバ
【図１】
2016146522.tif 000003
【図２】
2016146522.tif 000004
【図３】
2016146522.tif 000005
【図４】
2016146522.tif 000006
【図５】
2016146522.tif 000007